【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
組織部への押込嵌め接続を作製するためのインプラント（７）であって、これは、さらなる組織部を置換えるもしくは支持するもしくは治療用補助装置である人工要素またはさらなる組織部に組織部を接続するためのものであり、
インプラント（７）は機械エネルギによって液化可能な材料から少なくとも部分的になり、液化可能材料は、液化可能材料の少なくとも一部を液化しかつ組織部の開口の中にこれを押込むように、組織部と接することができ、機械振動によって励起可能であり、かつ同時に組織部に押付けられるようにインプラント（７）上に配置されることを特徴とする、インプラント。
【請求項２】
液化可能材料は熱可塑性またはシキソトロピックであることを特徴とする、請求項１に記載のインプラント。
【請求項３】
液化可能材料は少なくとも１つの再吸収可能成分を含むことを特徴とする、請求項１または２に記載のインプラント。
【請求項４】
液化可能材料はさらなる機能を有する物質をさらに含むことを特徴とする、請求項１から３のいずれかに記載のインプラント。
【請求項５】
インプラントはピンまたはだぼの形状を有することを特徴とする、請求項１から４のいずれかに記載のインプラント。
【請求項６】
液化可能材料は、インプラント遠端のインプラント表面上および／または円筒形インプラント表面上に配置され、インプラントは液化不可能な材料からなるコア（１１）を含むことを特徴とする、請求項５に記載のインプラント。
【請求項７】
インプラントは液化不可能な材料からなるスリーブ（１３）を含み、液化可能材料はスリーブの内側に配置され、スリーブは液化された材料の出口用の開口（５８）を含むことを特徴とする、請求項５に記載のインプラント。
【請求項８】
液化可能材料は再吸収可能であり、コア（１１）またはスリーブ（１３）の表面の少なくとも一部は生物に作用することを特徴とする、請求項７に記載のインプラント。
【請求項９】
インプラントは、インプラント近端に配置される保持手段（１４，１５）を含むことを特徴とする、請求項４から８のいずれかに記載のインプラント。
【請求項１０】
インプラントはプレート（３５および３６）または膜（３５）の形状を有することを特徴とする、請求項１から４のいずれかに記載のインプラント。
【請求項１１】
プレートまたは膜（３５）は１層からなることを特徴とする、請求項１０に記載のインプラント。
【請求項１２】
プレート（３５および３６）または膜は、液化可能な材料からなる層および液化不可能な材料からなる層を含み、液化可能な材料は液化不可能な材料の１つの表面の少なくとも一部を覆い、２つの層は、押込嵌めまたは材料嵌合によって互いに接続されることを特徴とする、請求項１０に記載のインプラント。
【請求項１３】
インプラントは、人工支持もしくは固定要素、人工関節要素、義歯、ブリッジもしくは人工歯、縫合ねじ山、締結ワイヤまたは治療用補助装置のための固定手段として設計されることを特徴とする、請求項１から１２のいずれかに記載のインプラント。
【請求項１４】
請求項１から１３のいずれかに記載のインプラント（７）を埋込むための埋込装置（１）であって、
発振器（２）、発振要素および共振器（６）を含み、発振器（２）は発振要素を励起して機械発振させるように設計され、共振器（６）および発振要素は発振ユニット（３）を形成するように接続され、共振器（６）は、機械発振の伝達のため、インプラント（７）に能動的に接続可能であり、かつインプラント（７）を組織部に押付けるように設計され、
装置は、ハウジングまたは伝達要素の上に支持されるインプラントガイドをさらに含むことを特徴とする、埋込装置。
【請求項１５】
装置は、２から２００ｋＨｚの周波数での共振器（６）の機械発振のために設計されることを特徴とする、請求項１４に記載の埋込装置。
【請求項１６】
装置は、機械発振のさまざまな周波数、さまざまな周波数パターン、および／またはさまざまなエネルギ脈動を設定するように備えられることを特徴とする、請求項１４または１５に記載の埋込装置。
【請求項１７】
共振器（６）または共振器（６）の遠端部は交換可能でありかつ無菌化することができることを特徴とする、請求項１４から１６のいずれかに記載の埋込装置。
【請求項１８】
共振器（６）は、ピン状またはだぼ状インプラント（７）を保持するように設計されることを特徴とする、請求項１４から１７のいずれかに記載の埋込装置。
【請求項１９】
組織部への接続を作製するためのキットであって、前記キットは埋込装置（１）を含み、埋込装置（１）は、発振器（２）、発振要素および共振器（６）を含み、発振器（２）は発振要素を励起して機械発振させるように設計され、共振器（６）および発振要素は発振ユニット（３）を形成するように接続され、共振器（６）は、機械発振の伝達のため、インプラント（７）に能動的に接続可能であり、かつインプラント（７）を組織部に押付
けるように設計され、前記キットは、請求項１から１３のいずれかに記載の複数のインプラント（７）とをさらに含む、キット。
【請求項２０】
埋込装置（１）の共振器（６）はその遠端に保持手段を含み、インプラント（７）はピン状またはだぼ状であり、それらの近端は、共振器（６）の保持手段に適合される保持手段を含むことを特徴とする、請求項１９に記載のキット。
【請求項２１】
キットは、さまざまなピン状またはだぼ状のインプラントと、共振器（６）または遠位共振器部とを含み、その遠位表面はインプラントの近位断面に対応することを特徴とする、請求項１９または２０に記載のキット。
【請求項２２】
インプラント（７）の少なくとも一部はピン状であり、キットは、摩擦嵌めのために直径がインプラント（７）の最大直径に適合されたドリルをさらに含むことを特徴とする、請求項１９から２１のいずれかに記載のキット。
【請求項２３】
インプラント（７）の少なくとも一部は、開口（５８）を有するスリーブ（１３）中に液化可能材料を含み、キットは、少なくとも１つの共振器（６）または遠位共振器部をさらに含み、その断面はスリーブ（１３）の近位内側断面に適合されることを特徴とする、請求項１９から２２のいずれかに記載のキット。
【請求項２４】
キットは、開口を備えるガイド（８２）と、少なくとも１つの共振器（６）または遠位共振器部とをさらに含み、その断面は開口に適合されることを特徴とする、請求項１９から２３のいずれかに記載のキット。
【請求項２５】
キットは埋込装置（１）用の無菌カバーをさらに含むことを特徴とする、請求項１９から２４のいずれかに記載のキット。
【請求項２６】
埋込装置（１）は、さまざまな発振周波数、さまざまな周波数パターン、および／またはさまざまなエネルギ脈動を設定するために備えられ、キットは、さまざまなインプラント用の設定指示をさらに含むことを特徴とする、請求項１９から２５のいずれかに記載のキット。
【請求項２７】
請求項１から１３のいずれかに記載の１つ以上のインプラント（７）を備える追加キットであって、前記追加キットは、機械発振エネルギの補助によってインプラントを埋込むための指示をさらに含む、追加キット。
【請求項２８】
埋込装置の補助によって請求項１から１３のいずれかに記載のインプラント（７）を埋込むための方法であって、埋込装置（１）は、発振器（２）、発振要素および共振器（６）を含み、発振器（２）は発振要素を励起して機械発振させるように設計され、共振器（６）および発振要素は発振ユニット（３）を形成するように接続され、共振器（６）は、機械発振の伝達のため、インプラント（７）に能動的に接続可能であり、かつインプラント（７）を組織部に押付けるように設計され、前記方法は、
押込嵌め手段として好適な表面凹凸もしくは開口を組織部が有するか、またはそのような表面凹凸もしくは開口を静水圧によって作製可能な領域において、液化可能な材料からなるインプラント領域が組織部と接するまたは組織部と接触できるように、組織部上にインプラント（７）を位置決めするステップと、
液化可能な材料のうち少なくとも一部が液化され、前記表面凹凸または開口の中に押込まれるまで、インプラントに機械発振を当て、かつ同時にインプラントを組織部に押付けるステップと、
依然としてインプラントを組織部に押付けながら液化可能材料を再凝固させるステップ
とを含む、方法。
【請求項２９】
組織部は、人もしくは動物の骨部、軟骨部、靭帯部または腱部（１０，２０，５０，７２，７３）であることを特徴とする、請求項２８に記載の方法。
【請求項３０】
作製すべき接続は、点ごとの、深さに対して効果的な接続であることを特徴とする、請求項２８または２９に記載の方法。
【請求項３１】
開口は埋込前に組織部の中に作製され、インプラント（７）は開口の中に位置決めされることを特徴とする、請求項２８から３０のいずれかに記載の方法。
【請求項３２】
組織部は、皮質骨物質（２２）および海綿状骨（２３）を備える骨であり、埋込前は少なくとも皮質層（２２）が開いていることを特徴とする、請求項２８から３１のいずかに記載の方法。
【請求項３３】
作製すべき接続は、表面が大きく、表面的な接続であることを特徴とする、請求項２８または２９に記載の方法。
【請求項３４】
好適な組織表面領域は、インプラント（７）の位置決めの前にでこぼこをつけられることを特徴とする、請求項３３に記載の方法。
【請求項３５】
インプラントをプレート（２１）に固定するため、インプラントの近位領域は、機械エネルギによって液化可能な材料を含むことを特徴とする、請求項５に記載のインプラント。
【請求項３６】
ヘッド状の近位領域を含むことを特徴とする、請求項５または３５に記載のインプラント。
【請求項３７】
液化可能材料はインプラント遠端のインプラント表面上および／または円筒形インプラント表面上に配置され、液化可能材料はエネルギディレクタとして働く段差を含むことを特徴とする、請求項５に記載のインプラント。
【請求項３８】
保持手段はプレス嵌め接続のために設けられることを特徴とする、請求項９に記載のインプラント。
【請求項３９】
共振器はプレス嵌め接続のために設けられることを特徴とする、請求項１８に記載の埋込装置。
【請求項４０】
複数のピン状インプラントと、前記ピン状インプラント（７）に適合される開口を備える少なくとも１つのプレート（２１）とを含むことを特徴とする、請求項１９に記載のキット。
【請求項４１】
プレート（２１）は金属であり、プレート（２１）との接続のため、ピン状インプラント（７）の近位領域は機械エネルギによって液化可能な材料を含み、開口は、液化可能材料との押込み嵌め接続のために設けられることを特徴とする、請求項４０に記載のキット。
【請求項４２】
開口はねじ山を含むことを特徴とする、請求項４１に記載のキット。
【請求項４３】
プレート（２１）および／またはピン状インプラントの近位領域は液化可能材料を含み
、これによりプレートおよびインプラントの近端領域は、機械振動を加えることによってともに溶接または接着され得ることを特徴とする、請求項４０に記載のキット。
【請求項４４】
ピン状インプラント（７）が用いられ、プレート（２１）は組織部上に位置決めされ、プレートはピン状インプラント（７）に適合される開口を含み、ピン状インプラント（７）は開口を通して組織部上に位置決めされることを特徴とする、請求項２８から３２のいずれかに記載の方法。
【請求項４５】
ピン状インプラント（７）は、インプラント近位領域中および／またはプレート上に配置された液化可能材料が液化されてインプラントとプレート（２１）との間に押込み嵌め接続、溶接または接着接続を形成するまで、機械振動を当てられることを特徴とする、請求項４４に記載の方法。
【請求項４６】
インプラント（７）はその近位領域がプレート（２１）と同じ高さに整列されるまで組織部に押付けられることを特徴とする、請求項４４または４５に記載の方法。